(57)【特許請求の範囲】
【請求項１】
樹脂製の支持体と、前記支持体の一端側に備えられる化粧料塗布体とを有する化粧用具と、前記支持体の他端側に係合可能な取付体とからなる化粧用具組体であって、前記化粧用具と前記取付体が、前記支持体の他端側に形成される化粧用具側係合部と、前記取付体の一端側に形成される取付体側係合部により係合され、前記化粧用具側係合部および前記取付体側係合部の少なくとも一方が二股状に形成される二股脚部であり、他方が前記二股脚部と係合可能な係合凹部であって、前記二股脚部と前記係合凹部とが互いに交差するように差し込まれることで、前記化粧用具側係合部と前記取付体側係合部とが係合することを特徴とする化粧用具組体。
【請求項２】
前記化粧用具側係合部および前記取付体側係合部の少なくとも一方は、二股状に形成される二股脚部と、前記二股脚部を架設するように形成される係合凹部とを備える請求項１記載の化粧用具組体。
【請求項３】
前記取付体の他端側に、化粧料塗布体が備えられている請求項１または２のいずれか１項に記載の化粧用具組体。
【請求項４】
樹脂製の支持体と、前記支持体の一端側に備えられる化粧料塗布体とを有する化粧用具と、前記支持体の他端側に係合可能な取付体との少なくとも一方を収容可能な収容凹部を有する容器本体と、前記容器本体を蓋する蓋体とを備える収容容器であって、前記化粧用具と前記取付体が、前記支持体の他端側に形成される化粧用具側係合部と、前記取付体の一端側に形成される取付体側係合部により係合され、前記化粧用具側係合部および前記取付体側係合部の少なくとも一方が二股状に形成される二股脚部であり、他方が前記二股脚部と係合可能な係合凹部であって、前記収容容器に前記化粧用具側係合部および前記取付体側係合部の少なくとも一方と係合可能な保持部が形成されていることを特徴とする収容容器。
【請求項５】
請求項４記載の収容容器であって、前記蓋体が前記容器本体とヒンジ連結されており、前記蓋体側のヒンジ部に前記保持部が形成されていることを特徴とする収容容器。
【発明の詳細な説明】
【技術分野】
【０００１】
本発明は、チップ等の化粧料塗布体を支持体の先端に備える化粧用具を容易に取り替えることができる化粧用具組体と、その収容容器に関するものである。
【背景技術】
【０００２】
従来、チップ等の化粧料塗布体を支持体の先端に備える化粧用具を取り替えられるようにするために、化粧用具と柄を別々のパーツで構成し、化粧用具を柄に差し込むことができる取り替え可能な化粧用具組体が知られている。
【０００３】
例えば、特許文献１には、柄の先端に二股状部分を一体的に形成し、さらにこの二股状部分を被嵌するように金属製の可撓性円筒管が二股状部分の根元に嵌着されている棒状の柄に、支持体の先端に化粧料塗布体を有する化粧用具を差し込むものが開示されている。
【０００４】
また、特許文献２には、チップ，ブラシ，コーム等の化粧用具を個々の単位パーツとして構成し、各単位パーツが縦列状または並列状に連結可能となるように、少なくとも各単位パーツの縦列状の先端部、後端部または側面のいずれかにジョイント部を形成して、単位パーツを好みの順序で自由に組み合わせて使用できるようにした組み合わせ型化粧用具セットに関するものが開示されている。
【先行技術文献】
【特許文献】
【０００５】
【特許文献１】実公平６−１４６６３号公報
【特許文献２】特開２００１−１６９８２４号公報
【発明の概要】
【発明が解決しようとする課題】
【０００６】
しかしながら、特許文献１に記載された化粧用具組体では、化粧料塗布体を有する化粧用具と柄の係合を確実にするために、円筒管という金属製の別部材が必要となるので、コストが高くなってしまう。また、差し込みが行われていないときには、金属製の円筒管がむき出しになっているため、その先端が鋭利であり、取り扱いに注意を要するという問題もある。
【０００７】
特許文献２に記載された化粧用具セットでは、上述のような問題は解決されている。しかしながら、特許文献２に開示されている形状では、個々の単位パーツを成形するための金型構造が複雑になるという問題がある。また、成形条件や強度の関係上、ジョイント部が肉厚になってしまい、耐久性の問題からもジョイント部に相当な長さが要求される。したがって、この化粧用具セットは個々の単位パーツに分解しても、小さな容器には収容できず、化粧用具組体を小型容器に収容して手軽に持ち運びたいという使用者の要望を満たさないものであった。
【０００８】
本発明は、このような事情に鑑みなされたもので、より簡単な構造で容易に化粧用具を取り替え可能な化粧用具組体と、この化粧用具組体を収容する収容容器を提供することをその目的とする。
【課題を解決するための手段】
【０００９】
上記の目的を達成するため、本発明の化粧用具組体は、樹脂製の支持体と、前記支持体の一端側に備えられる化粧料塗布体とを有する化粧用具と、前記支持体の他端側に係合可能な取付体とからなる化粧用具組体であって、前記化粧用具と前記取付体が、前記支持体の他端側に形成される化粧用具側係合部と、前記取付体の一端側に形成される取付体側係合部により係合され、前記化粧用具側係合部および前記取付体側係合部の少なくとも一方が二股状に形成される二股脚部であり、他方が前記二股脚部と係合可能な係合凹部であって、前記二股脚部と前記係合凹部とが互いに交差するように差し込まれることで、前記化粧用具側係合部と前記取付体側係合部とが係合することを特徴とする化粧用具組体を第１の要旨とする。
【００１０】
また、本発明は、そのなかでも特に、前記化粧用具側係合部および前記取付体側係合部の少なくとも一方は、二股状に形成される二股脚部と、前記二股脚部を架設するように形成される係合凹部とを備える化粧用具組体を第２の要旨とし、前記取付体の他端側に、化粧料塗布体が備えられている化粧用具組体を第３の要旨とする。
【００１１】
さらに、樹脂製の支持体と、前記支持体の一端側に備えられる化粧料塗布体とを有する化粧用具と、前記支持体の他端側に係合可能な取付体との少なくとも一方を収容可能な収容凹部を有する容器本体と、前記容器本体を蓋する蓋体とを備える収容容器であって、前記化粧用具と前記取付体が、前記支持体の他端側に形成される化粧用具側係合部と、前記取付体の一端側に形成される取付体側係合部により係合され、前記化粧用具側係合部および前記取付体側係合部の少なくとも一方が二股状に形成される二股脚部であり、他方が前記二股脚部と係合可能な係合凹部であって、前記収容容器に前記化粧用具側係合部および前記取付体側係合部の少なくとも一方と係合可能な保持部が形成されていることを特徴とする収容容器を第４の要旨とし、前記収容容器のなかでも、前記蓋体が前記容器本体にヒンジ連結された収容容器であって、前記蓋体側のヒンジ部に前記保持部が形成されている収容容器を第５の要旨とする。
【発明の効果】
【００１２】
すなわち、本発明の第１の要旨である化粧用具組体は、化粧用具と取付体とからなり、前記化粧用具と前記取付体とを係合させる際には、前記化粧用具に形成される化粧用具側係合部および前記取付体に形成される取付体側係合部の少なくともいずれか一方に形成される二股脚部を、他方に形成される係合凹部に差し込むだけでよく、これにより両者が確実に係合する。また、両者の係合を解除するには、両者を差し込み方向とは反対の方向に引き抜くだけでよい。このため、円筒管等の別の金属部材を用意しなくとも、誰でも簡単に化粧用具組体を構成することが可能となる。したがって、使用の際には、化粧用具に取付体を係合させることで、把持部分を長くして使いやすくすることができ、また、化粧用具に備えられている化粧料塗布体が劣化した際には、簡単に取り替えることもできる。
【００１３】
また、前記化粧用具側係合部および前記取付体側係合部の形状が単純なものとなるため、前期化粧用具および前記取付体を成形するための金型構造を簡単にすることができる。加えて、前記化粧用具側係合部および前記取付体側係合部の形状においては、強度の問題上、肉厚にする必要もなくなることから、化粧用具および取付体の全体の大きさを小さくすることができるため、それらを収容する容器の小型化・軽量化を図ることができ、化粧用具組体を小型容器に収容して、手軽に持ち運びたいという使用者の要望を満たすことができる。
【００１４】
また、本発明の第２の要旨である化粧用具組体によれば、前記化粧用具側係合部および前記取付体側係合部の少なくともいずれか一方は、二股状に形成される二股脚部と、前記二股脚部を架設するように形成される係合凹部とを備えているため、他方の係合部の形状として、二股脚部が形成されているもの，係合凹部が形成されているもの，もしくは二股状に形成される二股脚部と、前記二股脚部を架設するように形成される係合凹部が形成されているもの，のいずれの形状にも係合可能となり、取り替えの幅を広げることができる。
【００１５】
また、本発明の化粧用具組体のうち、前記取付体の他端側に、化粧料塗布体が備えられている化粧用具組体である場合には、化粧用具に取付体を取り付けると、把持部分が長くなり持ちやすくなるだけではなく、化粧用具組体の両側に化粧料塗布体があるため、複数の化粧料を塗布する際に化粧料塗布体を使い分けることができ、塗布する化粧料の種類ごとに化粧用具を取り替える手間を省くことができる。
【００１６】
さらに、本発明の化粧用具組体を収容可能な容器において、前記化粧用具側係合部および前記取付体側係合部と係合可能な保持部を設けたことを特徴とする収容容器によれば、前記化粧用具および／または前記取付体を前記保持部で係合させて収容することが可能となる。これにより、前記化粧用具および／または前記取付体が、前記保持部において確実に固定されるため、前記収容容器の蓋体を開ける際に、前記化粧用具および／または前記取付体が収容容器から落ちることがなくなる。また、前記化粧用具を前記保持部で係合させて収容した場合は、前記化粧用具が前記収容容器内でがたつかず、前記化粧料塗布体に付着した化粧料が前記収容容器内を汚すことがなくなる。
【００１７】
加えて、前記収容容器がヒンジ式であって、前記保持部を前記収容容器の蓋体側のヒンジ部に形成することにより、前記収容容器の蓋体を開ける際、前記保持部がヒンジ部と連動して上向きに回動するため、前期化粧用具および／または前記取付体を取り出しやすくすることができる。さらに、通常であれば化粧用具および／または取付体を収容容器から取り出す際に必要な指をいれるスペース等が不要になることから、収容容器の小型化・軽量化を図ることができ、化粧用具組体を小型容器に収容して、手軽に持ち運びたいという使用者の要望を満たすことができる。
【図面の簡単な説明】
【００１８】
【図１】（ａ）は本発明の一実施の形態における化粧用具組体の全体図で、（ｂ）はその要部拡大斜視図である。
【図２】上記化粧用具組体の一実施の形態における化粧用具と取付体の斜視図である。
【図３】本発明の化粧用具側係合部と取付体側係合部の形状の組み合わせを示す説明図であって、（１ａ）〜（１ｃ）は化粧用具側係合部、（２ａ）〜（２ｃ）は取付体側係合部の正面図である。
【図４】（ａ）〜（ｄ）は、図２に示すＡの方向から見た場合の、本発明の他の実施形態における二股脚部の断面形状を示した断面図である。
【図５】本発明の他の実施形態における化粧用具組体の説明図であって、取付体の両端に係合部を形成した場合の斜視図である。
【図６】本発明のさらに他の実施形態における化粧用具組体の説明図であって、取付体の他端側に化粧料塗布体を形成した場合の斜視図である。
【図７】本発明の他の実施形態を示す部分的な説明図であって、（ａ）は二股脚部と係合凹部の斜視図であり、（ｂ）はその係合部分の拡大縦断面図である。
【図８】本発明の化粧用具組体を、ヒンジ部に保持部を有するヒンジ式収容容器に収容した場合の斜視図である。
【発明を実施するための形態】
【００１９】
つぎに、本発明を実施するための形態について説明する。ただし、本発明は、この実施の形態に限られるものではない。
【００２０】
この実施形態の化粧用具組体を図１に示す。図１（ａ）に示すように、化粧用具組体３は、化粧用具１と取付体２とから構成されている。化粧用具１と取付体２は、図１（ｂ）に示すように、化粧用具側係合部１０と、取付体側係合部２０とが、互いに交差するように差し込まれることで係合している。
【００２１】
化粧用具１と取付体２の形状について、図２を用いて説明する。化粧用具１は、樹脂製の支持体１１と、支持体１１の先端側に差し込まれているスポンジ材からなる化粧料塗布体１２と、支持体１１の後端側に形成される化粧用具側係合部１０とを備えている。取付体２は、支持体１１の後端側に取り付けられる略棒状体であって、化粧用具側係合部１０と係合可能な取付体側係合部２０がその一端に形成されている。
【００２２】
化粧用具側係合部１０は、支持体１１から長手方向に延びる断面円形状の二股脚部１０１と、支持体１１から水平方向に形成され、二股脚部１０１を架設するように形成される係合凹部１０２とを備えている。取付体側係合部２０は、化粧用具側係合部１０と同様に、取付体２の一端側から長手方向に延びる断面円形状の二股脚部２０１と、取付体２から水平方向に形成され、二股脚部２０１を架設するように形成される係合凹部２０２とを備えている。
【００２３】
この実施形態においては、化粧用具１の二股脚部１０１を取付体２の係合凹部２０２に、さらに取付体２の二股脚部２０１を化粧用具１の係合凹部１０２に、それぞれ交差させて差し込むことにより、図１（ｂ）に示すように、化粧用具１と取付体２を確実に係合させることができる。また、化粧用具１と取付体２の係合を解除するには、両者を差し込み方向とは反対の方向に引き抜くだけでよい。
【００２４】
こうして、化粧用具１の支持体１１後端側に略棒状の取付体２を取り付けるだけで化粧用具組体３を構成することができるため、化粧料を塗布する際に把持部分を長くして使いやすくすることができる。また、化粧用具組体３を容器に収容する際には、化粧用具１と取付体２との係合を容易に解除し、分解して収容することができるため、収容容器の小型化・軽量化を図ることができ、化粧用具組体を小型容器に収容して、手軽に持ち運びたいという使用者の要望を満たすことができる。
【００２５】
また、化粧用具側係合部１０の全体形状は二股形状であるため、化粧用具１の全体形状が歪にならず、シンプルなものとなっている。このため、樹脂製の支持体１１を成形するための金型構造を簡単にすることができる。また、化粧用具１は、取付体２を取り付けなくとも、手に持ったときに違和感なく、化粧用具として単体で使用することができる。
【００２６】
さらに、化粧用具側係合部１０および取付体側係合部２０には、二股脚部１０１，２０１とともに、これら二股脚部１０１，２０１を架設するように係合凹部１０２，２０２も形成されている。そのため、二股脚部および係合凹部の少なくともいずれか一方の係合部を有する他の化粧用具または取付体と組み合わせることができ、取り替えの幅を広げることができる。
【００２７】
なお、化粧用具側係合部１０および取付体側係合部２０の形状としては、図３に示すものが考えられる。化粧用具側係合部１０および取付体側係合部２０の形状としては、図３（１ａ），（２ａ）に示される二股脚部１０１，２０１のみを形成しているもの，図３（１ｂ），（２ｂ）に示される係合凹部１０２，２０２のみを形成しているもの，そして、実施例において説明した形状でもある図３（１ｃ），（２ｃ）に示される二股脚部１０１，２０１と係合凹部１０２，２０２の両方を形成しているもの，の３種類が考えられる。化粧用具１に取付体２を取り付けるとき、化粧用具側係合部１０が図３（１ａ）の形状である場合は図３（２ｂ），（２ｃ）の取付体側係合部２０と、図３（１ｂ）の形状である場合は図３（２ａ），（２ｃ）の取付体側係合部２０と、図３（１ｃ）の形状である場合は図３（２ａ），（２ｂ），（２ｃ）の取付体側係合部２０と、それぞれ係合する。
【００２８】
化粧用具１の二股脚部１０１の長さは、特に制限はないが、１ｃｍ〜４ｃｍであることが好ましい。これは、二股脚部１０１の長さが１ｃｍ以上であれば、化粧用具１を把持する部分が確保され、化粧用具１に取付体２を取り付けなくとも単体で用いることができるためである。反対に、二股脚部１０１があまりに長すぎると、小型容器に収容することが難しくなるため、小型容器に収容されている通常の化粧用具の長さを考慮すると、４ｃｍ以下が好ましい。
【００２９】
なお、上記の例では二股脚部１０１，２０１の断面形状は円形状であるが、特にこれに限られるものではない。図４（ａ）〜（ｄ）に示されるように、円形状の他に、ひし形形状、四角形状、三角形状、楕円形状などが考えられる。そのなかでも特に、化粧用具1と取付体２との係合強度を確保する上での寸法管理が容易になるという理由から、円形状が好ましい。
【００３０】
化粧料塗布体１２は、本発明の一実施例を示す図１〜図３においてはスポンジ材のチップとしているが、本発明の塗布体はこれに限らず、化粧筆やコーム等、様々な形態を用いることができる。
【００３１】
また、上記の例では、取付体２の一端側のみに取付体側係合部２０を形成したが、例えば、図５に示すように、取付体２の両端に取付体側係合部２０，２０’を形成してもよい。このようにすると、化粧用具１とは違う種類の化粧料塗布体とを有する化粧用具１’を、取付体側係合部２０’に取り付けることができ、複数種類の化粧料を塗布する際に、化粧料塗布体を取り替える手間を省くことができる。
【００３２】
さらに、取付体２は単なる棒状体に限らず、図６に示されるように、取付体２の一端側に取付体側係合部２０を形成するとともに、他端側に他の化粧料塗布体２２を備えているものでもよい。このようにすると、従来の化粧用具組体では、別種類の化粧料塗布体が必要になる場合は別の化粧用具組体を用意しなければならなかったが、本発明における化粧用具組体においては、各人の好みに応じた化粧料塗布体を両端に備えた化粧用具組体を実現することが可能となる。
【００３３】
なお、図１〜図６に示される例では、いずれも、二股脚部を係合凹部に差し込むことで、両者が確実に係合する。これは、二股脚部と係合凹部とが接触している部分に摩擦が生じていることにより、確実な係合を実現させているためである。
【００３４】
しかし、本発明はこれに限るものではなく、確実な係合を実現するための手段として、例えば、図７（ａ）に示すように、二股脚部または係合凹部のいずれか一方に係止用凸部５、他方に係止用凹部６を形成してもよい。この場合、二股脚部を係合凹部に差し込む際、いずれか一方に形成されている係止用凹部６に、他方に形成されている係止用凸部５が嵌合するため、両者の確実な係合を実現することができる（図７（ｂ）参照）。
【００３５】
図８は、本発明の化粧用具組体における化粧用具および取付体を収容する容器に関する一実施例である。収容容器４は、化粧用具１，１’，１’’および取付体２を収容可能な収容凹部４３を有する容器本体４２と、容器本体４２を蓋する蓋体４１とからなり、容器本体４２と蓋体４１は、蓋体側に形成されるヒンジ部４４によってヒンジ連結されている。化粧用具側係合部１０および取付体側係合部２０と係合する保持部４０，４０’は、収容容器４のヒンジ部４４に形成されている。
【００３６】
収容容器４は、化粧用具１，１’，１’’および取付体２を収容可能な収容容器であって、ヒンジ部４４に形成された２つの保持部４０，４０’は、化粧用具１，１’，１’’と略棒状の取付体２の各々に形成されている係合部１０，１０’，１０’’，２０と係合可能である。また、化粧用具１’および１’’は取り替え用として、収容凹部４３内に収容されている。
【００３７】
化粧用具１，１’，１’’および取付体２にはそれぞれ、化粧用具側係合部１０，１０’，１０’’および取付体側係合部２０として、二股脚部と、二股脚部を架設するように係合凹部が形成されている。収容容器４のヒンジ部４４に形成されている保持部４０，４０’には、係合凹部が形成されている。
【００３８】
上記構成によれば、化粧用具１および取付体２を、収容容器４の保持部４０，４０’と確実に係合させて収容することが可能であるため、収容容器４の蓋体４１を開ける際に化粧用具１および取付体２が収容容器４から落ちることがなくなる。また、化粧用具１を保持部４０または４０’で係合させて収容しているため、化粧用具１が収容容器内でがたつかず、化粧用具１の化粧料塗布体１２に付着した化粧料が収容容器４の内側を汚すことがなくなる。
【００３９】
さらに、保持部４０，４０’が収容容器４のヒンジ部４４に形成されていることによって、前記収容容器４の蓋体４１を開ける際、前記保持部４０，４０’がヒンジ部４４と連動して上向きに回動するため、化粧用具１および取付体２を取り出しやすくすることができる上に、通常であれば化粧用具１および取付体２を収容容器４から取り出す際に必要な指をいれるスペース等が不要になり、収容容器４の小型化・軽量化を図ることができ、化粧用具組体を小型容器に収容して、手軽に持ち運びたいという使用者の要望を満たすことができる。
【００４０】
また、化粧用具側係合部１０，１０’，１０’’および取付体側係合部２０には、それぞれ二股脚部および係合凹部が形成されているため、化粧用具１と取付体２，化粧用具１’と化粧用具１’’，化粧用具１’と取付体２など、４種類の中からどの２つを選んでも互いに係合させることができ、取り替えの幅を広げることができる。
【００４１】
なお、上記の例では、収容容器４は、化粧用具１，１’，１’’および取付体２を収容するものであるが、収容する化粧用具および取付体の数、ならびに収容する物については、特にこれに限定するものではない。例えば、化粧用具および／または取付体と共に、ファンデーション，アイカラー，チーク，リップ等の各種化粧料を収容していてもよい。また、収容容器の開蓋構造は、実施例に示したヒンジ式に限らず、スライド式、ジャー式であってもよい。さらに、保持部を形成する場所についてもヒンジ部に限らず、蓋体または収容容器本体であってもよい。
【産業上の利用可能性】
【００４２】
本発明は、アイカラー，アイブロウ，リップ等の化粧料を塗布する際に用いられる化粧用具を簡便に取り替え可能な化粧用具組体であって、使用者が手軽に携帯して使用することができる化粧用具組体およびその収容容器として、化粧料愛用者に好まれるものである。
【符号の説明】
【００４３】
１ 化粧用具
２ 取付体
３ 化粧用具組体
４ 収容容器
１０ 化粧用具側係合部
２０ 取付体側係合部
４０ 保持部
１０１，２０１ 二股脚部
１０２，２０２ 係合凹部 
【図１】
0005396459.tif 000002
【図２】
0005396459.tif 000003
【図３】
0005396459.tif 000004
【図４】
0005396459.tif 000005
【図５】
0005396459.tif 000006
【図６】
0005396459.tif 000007
【図７】
0005396459.tif 000008
【図８】
0005396459.tif 000009